(57)【特許請求の範囲】
【請求項１】
廃棄物を含む汚染土壌を地中に封じ込めるために、該汚染土壌の上部を覆って保護遮水シートを敷設すると共に、該保護遮水シートの上方に透水性土砂材料からなる保護土層を形成し、該保護土層による地盤面を有効利用できるようにした地盤造成区域において用いられ、前記保護遮水シートの破損の有無を管理して汚染土壌から汚染物質が外部に漏出しないようにする遮水シートの破損検出システムであって、
前記保護遮水シートを排水勾配を持たせて敷設すると共に、前記保護土層の部分を、前記保護遮水シートから立設する遮水壁によって複数のブロックに区画し、
各ブロックの上流側部分には、上端開口面を地盤面に開口させて立設した状態で保護土層に埋設される、有孔管からなる水位観測孔が設けられていると共に、下流側部分の前記遮水壁の下端部分には、通水孔が開口形成されており、
該通水孔には、開閉バルブが取り付けられたブロック貫通管が、これの外周面を前記通水孔の開口縁部に水密に接合した状態で、上流側のブロックの下流側部分と、下流側のブロックの上流側部分とに跨って配設されており、
各ブロック毎に、前記通水孔を閉じた状態で水を供給して当該各ブロックに水を貯留し、貯留した水の水位が所定時間低下しないことで、当該各ブロックの保護遮水シートが破損していないことを確認できるようにし、当該各ブロックにおける確認が終わったら、前記通水孔を開放して貯留された水を下流側のブロックに流下させることができるようにした遮水シートの破損検出システム。
【請求項２】
前記保護遮水シートは、上下の面が上層不織布及び下層不織布によって覆われた状態で敷設される請求項１に記載の遮水シートの破損検出システム。
【請求項３】
前記遮水壁は、遮水シートの両面を不織布で覆って構成されるシート材料を用いて形成される請求項１又は２に記載の遮水シートの破損検出システム。
【請求項４】
前記保護遮水シートは、所定の勾配を有するように前記汚染土壌の上方に敷き均された基礎砕石層の上面に敷設される請求項１〜３のいずれか１項に記載の遮水シートの破損検出システム。
【請求項５】
前記ブロック貫通管の下流側のブロックに配される部分に前記開閉バルブが取り付けられており、前記遮水壁の下流側に開閉バルブが設けられ、該開閉バルブを開閉することにより、前記通水孔が開閉される請求項１〜４のいずれか１項に記載の遮水シートの破損検出システム。
【請求項６】
前記ブロック貫通管は、有孔管からなり、前記通水孔が開口形成された前記遮水壁と前記開閉バルブとの間の部分が、周面の小孔が閉塞された無孔部分となっている請求項５に記載の遮水シートの破損検出システム。
【請求項７】
請求項１〜６のいずれか１項に記載の遮水シートの破損検出システムを用いた遮水シートの破損検出方法であって、前記各ブロック毎に、前記通水孔を閉じた状態で水を供給して当該各ブロックに水を貯留し、貯留した水の水位が所定時間低下しないことで、当該各ブロックの保護遮水シートが破損していないことを確認検査するようになっており、
上流側のブロックに水を貯留して保護遮水シートが破損していないことの確認検査を行い、当該上流側のブロックにおける確認検査が終わったら、前記通水孔を開放して貯留された水を下流側のブロックに流下させ、当該下流側のブロックにおいて適宜水を供給補充しつつ水を貯留して、保護遮水シートが破損していないことの確認検査を行うことにより、上流側のブロックから下流側のブロックに向けて各ブロックの保護遮水シートが破損していないことを順次確認する遮水シートの破損検出方法。
【発明の詳細な説明】
【技術分野】
【０００１】
本発明は、遮水シートの破損検出システム及び破損検出方法に関し、特に、廃棄物を含む汚染土壌を地中に封じ込めるために、汚染土壌の上部を覆って敷設された保護遮水シートの破損の有無を管理して、汚染物質が外部に漏出しないようにする遮水シートの破損検出システム及び破損検出方法に関する。
【背景技術】
【０００２】
廃棄物処分場等の廃棄物を含む汚染土壌が地中に埋設された地盤では、汚染土壌によって周囲の環境に悪影響が及ぶのを回避できるように、例えば廃棄物処分場の底面に敷設した遮水シートの破損を検出できるようにしたり、底面に敷設した遮水シートの破損が検出された際に汚水が周囲の地盤に漏出するのを防止するための種々の技術が提案されている（例えば、特許文献１、特許文献２参照）。
【０００３】
また、廃棄物処分場等の廃棄物を含む汚染土壌が地中に埋設された地盤では、地盤面を例えば公園やその他の施設として有効利用しようとする場合、地中に埋設された汚染土壌による影響が生じないようにする対策として、例えば汚染土壌を撤去して、汚染されていない土砂と入れ替える置換工法や、汚染土壌の周囲を遮水性を有する地盤や部材によって囲んで封印することにより、汚染物質が外部に漏出しないようにする封じ込め工法が考えられるが、置換工法は、大掛かりな工事となり、費用が膨大となってしまうことから、封じ込め工法が採用されることが多い。
【０００４】
封じ込め工法では、汚染土壌の底部を例えば不透水層や遮水シートによって覆うと共に、汚染土壌の側部を例えば不透水層まで打ち込んだ鋼矢板による鉛直遮水壁や遮水シートによって覆い、さらに汚染土壌の上部を遮水シートによって覆った後、上部の遮水シートの上方に保護土層を形成することにより、この保護土層による地盤面を、例えば公園やその他の施設として有効利用できるようにすることが可能になる。
【特許文献１】特開平６−６３５２６号公報
【特許文献１】特開平１０−１５５１７号公報
【発明の開示】
【発明が解決しようとする課題】
【０００５】
しかしながら、封じ込め工法によって、汚染土壌が地中に埋設された地盤の地盤面を公園等として有効利用しようとする場合、汚染土壌の上部を覆う遮水シートに破損が生じると、例えば地盤面に降り注いだ雨水等が破損箇所から汚染土壌の内部に流入すると共に、破損箇所を介して内部の汚染水が流出して、周囲の環境に影響を及ぼすおそれがある。このため、遮水シートの破損の有無を定期的にチェックする必要があると共に、地震の発生時等においても、遮水シートの破損の有無を検査する必要がある。
【０００６】
一方、汚染土壌の上部を覆う遮水シートは、汚染土壌の内部の汚染水による水圧が常時負荷された状態にあるものではないため、汚染土壌の底部に敷設された遮水シートの如く、遮水シートに生じる破損の有無を常時綿密に管理する必要はない。従って、底部に敷設された遮水シートに対して開発された上記特許文献１、特許文献２等に記載された従来の破損検出システムや破損検出方法を、汚染土壌の上部を覆って敷設された遮水シートについて適用するのは、設備が大掛かりになると共にコスト高となる。このようなことから、より簡易な構成によって、汚染土壌の上部を覆って敷設された遮水シートの破損の有無をチェックできるようにする新たな破損検出システム及び破損検出方法の開発が望まれている。
【０００７】
本発明は、このような従来の課題に着目してなされたもので、簡易な構成によって、汚染土壌の上部を覆って敷設された遮水シートの破損の有無をチェックできる遮水シートの破損検出システム及び破損検出方法を提供することを目的とする。
【課題を解決するための手段】
【０００８】
廃棄物を含む汚染土壌を地中に封じ込めるために、該汚染土壌の上部を覆って保護遮水シートを敷設すると共に、該保護遮水シートの上方に透水性土砂材料からなる保護土層を形成し、該保護土層による地盤面を有効利用できるようにした地盤造成区域において用いられ、前記保護遮水シートの破損の有無を管理して汚染土壌から汚染物質が外部に漏出しないようにする遮水シートの破損検出システムであって、前記保護遮水シートを排水勾配を持たせて敷設すると共に、前記保護土層の部分を、前記保護遮水シートから立設する遮水壁によって複数のブロックに区画し、各ブロックの上流側部分には、上端開口面を地盤面に開口させて立設した状態で保護土層に埋設される、有孔管からなる水位観測孔が設けられていると共に、下流側部分の前記遮水壁の下端部分には、通水孔が開口形成されており、該通水孔には、開閉バルブが取り付けられたブロック貫通管が、これの外周面を前記通水孔の開口縁部に水密に接合した状態で、上流側のブロックの下流側部分と、下流側のブロックの上流側部分とに跨って配設されており、各ブロック毎に、前記通水孔を閉じた状態で水を供給して当該各ブロックに水を貯留し、貯留した水の水位が所定時間低下しないことで、当該各ブロックの保護遮水シートが破損していないことを確認できるようにし、当該各ブロックにおける確認が終わったら、前記通水孔を開放して貯留された水を下流側のブロックに流下させることができるようにした遮水シートの破損検出システムを提供することにより、上記目的を達成したものである。
【０００９】
そして、本発明の遮水シートの破損検出システムによれば、前記保護遮水シートは、上下の面が上層不織布及び下層不織布によって覆われた状態で敷設されることが好ましい。
【００１０】
また、本発明の遮水シートの破損検出システムによれば、前記遮水壁は、遮水シートの両面を不織布で覆って構成されるシート材料を用いて形成されることが好ましい。
【００１１】
さらに、本発明の遮水シートの破損検出システムによれば、前記保護遮水シートは、所定の勾配を有するように前記汚染土壌の上方に敷き均された基礎砕石層の上面に敷設されることが好ましい。
【００１２】
さらにまた、本発明の遮水シートの破損検出システムによれば、前記ブロック貫通管の下流側のブロックに配される部分に前記開閉バルブが取り付けられており、前記遮水壁の下流側に開閉バルブが設けられ、該開閉バルブを開閉することにより、前記通水孔が開閉されることが好ましい。
【００１３】
また、本発明の遮水シートの破損検出システムによれば、前記ブロック貫通管は、有孔管からなり、前記通水孔が開口形成された前記遮水壁と前記開閉バルブとの間の部分が、周面の小孔が閉塞された無孔部分となっていることが好ましい。
【００１４】
そして、本発明は、上記遮水シートの破損検出システムを用いた遮水シートの破損検出方法であって、前記各ブロック毎に、前記通水孔を閉じた状態で水を供給して当該各ブロックに水を貯留し、貯留した水の水位が所定時間低下しないことで、当該各ブロックの保護遮水シートが破損していないことを確認検査するようになっており、上流側のブロックに水を貯留して保護遮水シートが破損していないことの確認検査を行い、当該上流側のブロックにおける確認検査が終わったら、前記通水孔を開放して貯留された水を下流側のブロックに流下させ、当該下流側のブロックにおいて適宜水を供給補充しつつ水を貯留して、保護遮水シートが破損していないことの確認検査を行うことにより、上流側のブロックから下流側のブロックに向けて各ブロックの保護遮水シートが破損していないことを順次確認する遮水シートの破損検出方法を提供することにより、上記目的を達成したものである。
【発明の効果】
【００１５】
本発明の遮水シートの破損検出システム及び破損検出方法によれば、簡易な構成によって、汚染土壌の上部を覆って敷設された遮水シートの破損の有無をチェックすることができる。
【発明を実施するための最良の形態】
【００１６】
本発明の好ましい一実施形態に係る遮水シートの破損検出システムは、図１に示すように、例えば従来は廃棄物処分場として使用されていた３〜４ｈａ程度の広さの領域を地盤造成区域１０として、図２及び図３に示すように、廃棄物を含む汚染土壌１１を地中に封じ込めると共に、汚染土壌１１の上方に保護土層１２を形成することにより、この保護土層１２による地盤面１２ａを例えば公園として有効利用する際に、汚染土壌１１の上部を覆って敷設される保護遮水シート１３の破損の有無を検出し、破損箇所を介して汚染土壌１１の内部の汚染水が流出することにより周囲の環境に影響を及ぼすのを効果的に回避できるようにするために採用されたものである。
【００１７】
すなわち、本実施形態では、地盤造成区域１０は、投入された廃棄物を含む汚染土壌１１の底部が例えば不透水層によって覆われると共に（図示せず。）、汚染土壌１１の側部が、例えば不透水層まで２．５ｍ以上の根入長で打ち込まれ、且つ継手部にポリウレタン樹脂製の膨潤性止水材が充填された鋼矢板による鉛直遮水壁１４によって覆われている。また、本実施形態では、汚染土壌１１の上部を覆って保護遮水シート１３が敷設されることにより、不透水層、鉛直遮水壁１４、及び保護遮水シート１３によって全体を覆われて、汚染土壌１１が地中に封じ込められている。本実施形態の遮水シートの破損検出システムは、簡易な構成によって、汚染土壌１１の上部を覆って敷設された保護遮水シート１３の破損の有無を効率良くチェックすることができるようにするものである。なお、本実施形態では、鉛直遮水壁１４の上端部と保護遮水シート１３との接合は、例えば嵩コンクリート３４を介在させたボルト結合３５によって、水密に行われるようになっている（図２参照）。
【００１８】
そして、本実施形態の遮水シートの破損検出システムは、図１〜図３に示すように、廃棄物を含む汚染土壌を地中１１に封じ込めるために、この汚染土壌１１の上部を覆って保護遮水シート１３を敷設すると共に、保護遮水シート１３の上方に透水性土砂材料からなる保護土層１２を形成し、この保護土層１２による地盤面１２ａを有効利用できるようにした地盤造成区域１０において用いられ、保護遮水シート１３の破損の有無を管理して汚染土壌１１から汚染物質が外部に漏出しないようにする破損検出システムであって、保護遮水シート１３を排水勾配Ｘを持たせて敷設すると共に、保護土層１２の部分を、保護遮水シート１３から立設する遮水壁１５によって複数のブロック１６に区画し、各ブロック１６の上流側部分に水位観測孔１７を設けると共に、下流側部分の遮水壁１５の下端部分に通水孔１８を開閉可能に設けておき、各ブロック１６毎に、通水孔１８を閉じた状態で水を供給して当該各ブロック１６に水を貯留し、貯留した水の水位が所定時間低下しないことで、当該各ブロック１６の保護遮水シート１３が破損していないことを確認できるようにしたものである。
【００１９】
また、本実施形態では、保護遮水シート１３は、上下の面が上層不織布１９ａ及び下層不織布１９ｂによって覆われた状態で敷設されており（図５参照）、遮水壁１５は、遮水シート２０の両面を不織布２１で覆って構成されるシート材料２２を用いて形成されている（図４参照）。
【００２０】
さらに、本実施形態では、通水孔１８にブロック貫通管２９が挿通されると共に、このブロック貫通管２９と接続して遮水壁１５の下流側に開閉バルブ３０が設けられ、この開閉バルブ３０を開閉することにより、通水孔１８が開閉されるようになっている。
【００２１】
本実施形態では、保護遮水シート１３は、廃棄物処分場に敷設される遮水シートとして公知の、例えば軟質の合成樹脂系、或いはゴム系のシート材料からなる例えば１．０〜２．０ｍｍ程度の厚さの保護シートを用いることができる。より具体的には、例えばポリプロピレンからなる、厚さが１．５ｍｍ程度のシート材料を好ましく用いることができる。また保護遮水シート１３は、１枚のシート材料で地盤造成区域１０の全体を覆うことは困難であることから、施工に適した所定の大きさの単位遮水シートを、敷設作業現場において、例えば熱溶着や接着剤を介した圧着により、その端部を重ね合わせて接合一体しつつ、例えば１％程度の傾斜の排水勾配Ｘを備えるように敷設されることになる。
【００２２】
ここで、本実施形態では、地盤造成区域１０は、当該地盤造成区域１０の中央部分を横断するようにして設けられた尾根部２３（図１参照）を境として、第１排水区２４ａと、第２排水区２４ｂとに２分割されている。第１排水区２４ａでは、地盤造成区域１０の南西の角部分に向かって排水勾配Ｘが設けられていると共に、第２排水区２４ｂでは、地盤造成区域１０の北東の角部分に向かって排水勾配Ｘが設けられている。また各排水区２４ａ，２４ｂの排水勾配Ｘによって流下してきた保護土層１２の内部の水は、例えば地盤造成区域１０の南西の角部分や北東の角部分において、例えば最下流部分のブロック１６’に設けられたブロック貫通管２９を下流側に延設させることにより形成した接続管３６を介して、地盤造成区域１０の外側に設けられた雨水排水暗渠２５に流入する（図２参照）。流入した水は、この雨水排水暗渠２５を介して、地盤造成区域１０の南側や北側に設けられた雨水貯留施設２６に向けて流下してゆくことになる（図１参照）。
【００２３】
また、本実施形態では、保護遮水シート１３は、例えば１％程度の傾斜の所定の勾配を有するように汚染土壌１１の上方に敷き均された基礎砕石層２７の上面に沿って敷設されることにより（図２、図３参照）、排水勾配Ｘを備えることになる。すなわち、本実施形態では、基礎砕石層２７は、汚染土壌１１の上方に、例えば１５０〜３００ｍｍ程度の厚さで設けられ、ブルドーザーやその他の各種の転圧機を用いて、所定の勾配を有する平坦な転圧面を保護遮水シート１３の敷設面として容易に形成することが可能である。またこれによって、基礎砕石層２７の上面に沿って敷設される保護遮水シート１３に、所定の排水勾配Ｘを容易に付与することが可能になる。
【００２４】
さらに、本実施形態では、基礎砕石層２７の内部に、汚染土壌１１に近接する下層部分に配置されて、間隙水圧制御管２８が設けられている。間隙水圧制御管２８は、例えばφ１００ｍｍ程度の厚肉塩化ビニル製の有孔管からなり、保護遮水シート１３の排水勾配Ｘと同様の勾配を有するように配設される。間隙水圧制御管２８は、例えば汚染土壌１１の内部の地下水が上昇した際の排水設備として機能し、汚染土壌１１の内部の水を適宜流入させる。この間隙水圧制御管２８を介して、流入した水を雨水排水暗渠２５に排出することができるようになっている（図２参照）。また間隙水圧制御管２８が設けられていることにより、地震時等における汚染土壌１１の液状化を効果的に防止することができるようになっている。
【００２５】
基礎砕石層２７の上面に沿って敷設される保護遮水シート１３は、上述のように、例えばポリプロピレン製のシート材料からなり、上下の面が上層不織布１９ａ及び下層不織布１９ｂによって覆われた状態で敷設される。ここで、上層不織布１９ａ及び下層不織布１９ｂとしては、例えば土木工事用に用いられる公知の各種の不織布を用いることができ、各々例えば１０ｍｍ程度の厚さで設けられる。上層不織布１９ａ及び下層不織布１９ｂによって保護遮水シート１３の上下の面が覆われていることにより、保護遮水シート１３を効果的に保護して、例えば突起物等との接触によって保護遮水シート１３が破損するのを回避することが可能になる。
【００２６】
また、本実施形態の破損検出システムよって保護遮水シート１３に破損箇所が存在すると判断された際に、上層不織布１９ａや下層不織布１９ｂを基材として、例えば水位観測孔１７から公知の各種の流動性に優れた注入固化材を修復材として注入し、上層不織布１９ａや下層不織布１９ｂに浸透させることにより、保護土層１２を掘削することなく破損箇所を補修することが可能になる。なお、上層不織布１９ａや下層不織布１９ｂは、予め保護遮水シート１３に一体として接合しておき、保護遮水シート１３と共に基礎砕石層２７の上面に沿って敷設することもできる。
【００２７】
保護遮水シート１３の上方に形成される保護土層１２は、透水性土砂材料として、例えば砂質土や礫質土を、公知の各種の方法によって敷均し転圧することにより、例えば５００ｍｍ程度の厚さで造成される。本実施形態では、保護土層１２は、その表面が、保護遮水シート１３の排水勾配Ｘと同様の勾配を備えると共に、地盤造成区域１０の略全体に亘って略一定の厚さとなるように形成される。また保護土層１２には、第１排水区２４ａや第２排水区２４ｂを複数のブロック１６に区画する遮水壁１５や、水位観測孔１７、ブロック貫通管２９、開閉バルブ３０等が埋設配置される。
【００２８】
本実施形態では、遮水壁１５は、遮水シート２０の両面を不織布２１で覆って構成されるシート材料２２を用いて形成されている。遮水シート２０は、保護遮水シート１３と同様の、例えばポリプロピレンからなる厚さが１．５ｍｍ程度の保護シートを用いて形成される。また保護遮水シート１３と同様に、両面に不織布２１が予め一体として接合されたシート材料２２として施工される。遮水シート２０を保護遮水シート１３に水密に接合すると共に、ブロック１６の角部分において交差する他の遮水壁１５の遮水シート２０と水密に接合した状態で、シート材料２２が例えば保護遮水シート１３から４５０ｍｍ程度の高さで立設することにより、各ブロック１６の四方を囲む遮水壁１５を形成する。またシート材料２２による遮水壁１５は、地盤面１２ａとの間に５０ｍｍ程度の被り厚さ残して保護土層１２に埋設される。
【００２９】
これによって、地盤造成区域１０の第１排水区２４ａ及び第２排水区２４ｂは、遮水壁１５により縦横に仕切られて整列配置された、例えば一辺の長さが３０ｍ程度、面積が１０００ｍ2程度の大きさの複数のブロック１６に区画されることになる。
【００３０】
各ブロック１６の上流側部分に設けられる水位観測孔１７は、例えばφ１００ｍｍ程度の厚肉塩化ビニル製の有孔管からなり、下端開口面を保護遮水シート１３の上に載置すると共に、保護土層１２を貫通して上端開口面を地盤面１２ａに開口させて、立設した状態で保護土層１２に埋設される。この水位観測孔１７を介して、各ブロック１６の保護土層１２に適宜注水することができるようになっている。また、この水位観測孔１７の内部を水位を観測して、各ブロック１６の保護土層１２内の水位の変化を把握することができるようになっている。さらに、上述のように、保護遮水シート１３に破損箇所が存在すると判断された際に、この水位観測孔１７を介して、上層不織布１９ａや下層不織布１９ｂに流動性に優れた注入固化材を注入することができるようになっている。なお、水位観測孔１７の上端開口面には、開閉蓋３１が着脱可能に取り付けられる。
【００３１】
各ブロック１６の下流側部分の遮水壁１５に開口形成された通水孔１８に挿通されるブロック貫通管２９は、例えばφ１００ｍｍ程度の厚肉塩化ビニル製の有孔管からなる。ブロック貫通管２９は、これの外周面を通水孔１８の開口縁部に水密に接合した状態で、上流側のブロック１６の下流側部分と、下流側のブロック１６の上流側部分とに跨って配設される。またブロック貫通管２９は、例えば３００ｍｍ程度の長さで上流側のブロック１６に突出配置されると共に、全体として８００ｍｍ程度の長さで保護遮水シート１３の上面に沿って設置される。
【００３２】
ブロック貫通管２９の下流側のブロック１６に配される部分には、開閉バルブ３０が取り付けられており、この開閉バルブ３０を開閉することによって、通水孔１８を適宜開閉することができるようになっている。なお、ブロック貫通管２９は、通水孔１８が開口形成された遮水壁１５と開閉バルブ３０との間の部分が、周面の小孔が閉塞された無孔部分２９ａとなっている。これによって、開閉バルブ３０を閉塞した際に、上流側のブロック１６に貯留された水が、ブロック貫通管２９の周面の小孔を介して下流側のブロック１６に流入しないようになっている。
【００３３】
なお、本実施形態では、有孔管からなる間隙水圧制御管２８、水位観測孔１７、及びブロック貫通管２９は、これらの外周面をフィルター材（図示せず。）で覆った状態で地中に埋設されることにより、周面の小孔の目詰りを効果的に防止できるようになっている。
【００３４】
ブロック貫通管２９と接続して遮水壁１５の下流側に設けられる開閉バルブ３０は、例えば水道管等に取り付けて用いられる公知の各種のバルブ装置を用いることができる。開閉バルブ３０は、遮水壁１５を挟んだ下流側のブロック１６においてブロック貫通管２９に接続される。また開閉バルブ３０は、下端開口面を保護遮水シート１３の上に載置すると共に、保護土層１２を貫通して上端開口面を地盤面１２ａに開口して設けられたマンホール３３の内部に収容された状態で、保護土層１２に埋設される。なお、マンホール３３の上端開口面には、開閉蓋３２が着脱可能に取り付けられる。
【００３５】
そして、上述の構成を備える本実施形態の遮水シートの破損検出システムでは、以下のような検出方法によって、保護遮水シート１３が破損していないことを容易に確認することができる。すなわち、各ブロック１６毎に、通水孔１８を閉じた状態で水を供給して当該各ブロック１６に水を貯留し、貯留した水の水位が例えば数時間〜半日程度の所定時間経過しても低下しないことで、当該各ブロックの保護遮水シートが破損していないことを確実に確認することが可能になる。
【００３６】
また、本実施形態では、各排水区２４ａ，２４ｂにおいて、上流側のブロック１６に水を貯留して保護遮水シート１３が破損していないことの確認検査を行い、当該上流側のブロック１６における確認検査が終わったら、開閉バルブ３０の開閉操作により通水孔１８を開放して貯留された水を下流側のブロック１６に流下させ、当該下流側のブロック１６において適宜水を供給補充しつつ水を貯留して、保護遮水シート１３が破損していないことの確認検査を行うことができる。これによって、上流側のブロック１６から下流側のブロックに向けて、各ブロック１６の保護遮水シート１３が破損していないことを、順次効率良く確認することが可能になる。
【００３７】
これらによって、本実施形態によれば、簡易な構成によって、汚染土壌１１の上部を覆って敷設された保護遮水シート１３の破損の有無を容易且つ確実にチェックすることが可能になる。
【００３８】
なお、本発明は上記実施形態に限定されることなく種々の変更が可能である。例えば、各ブロックへの水の供給は、水位観測孔を介して行う必要は必ずしもなく、保護土層の地盤面から直接行うこともできる。また、遮水壁は、遮水シートの両面を不織布で覆って構成されるシート材料を用いて形成する必要は必ずしもなく、その他の種々の構成の遮水壁によって、地盤造成区域を複数のブロックに区画することができる。
【図面の簡単な説明】
【００３９】
【図１】本発明の好ましい一実施形態に係る遮水シートの破損検出システムが採用された地盤造成区域を説明する略示平面図である。
【図２】本発明の好ましい一実施形態に係る遮水シートの破損検出システムの構成を説明する略示断面図である。
【図３】本発明の好ましい一実施形態に係る遮水シートの破損検出システムの構成を説明する略示断面図である。
【図４】本発明の好ましい一実施形態に係る遮水シートの破損検出システムの構成を説明する図３のＡ−Ａに沿った断面図である。
【図５】保護遮水シートが敷設された部分の層構成を説明する部分拡大断面図である。
【符号の説明】
【００４０】
１０  地盤造成区域
１１  汚染土壌
１２  保護土層
１２ａ  保護土層による地盤面
１３  保護遮水シート
１４  鉛直遮水壁
１５  遮水壁
１６  ブロック
１７  水位観測孔
１８  通水孔
１９ａ  上層不織布
１９ｂ  下層不織布
２０  遮水シート
２１  不織布
２２  シート材料
２３  尾根部
２４ａ  第１排水区
２４ｂ  第２排水区
２５  雨水排水暗渠
２６  雨水貯留施設
２７  基礎砕石層
２８  間隙水圧制御管
２９  ブロック貫通管
２９ａ  ブロック貫通管の無孔部分
３０  開閉バルブ
Ｘ    排水勾配
【図１】
0005038074.tif 000002
【図２】
0005038074.tif 000003
【図３】
0005038074.tif 000004
【図４】
0005038074.tif 000005
【図５】
0005038074.tif 000006